(57)【要約】【課題】建物の窓のカーテンを活用して太陽電池の設置面を確保する。【解決手段】ロールスクリーン本体３の窓面上にフィルム型太陽電池６を貼り付け、フィルム型太陽電池６を電源として充放電コントローラ７を介し、蓄電池８及び負荷４に接続するロールカーテン装置１とする。これによって、ロールスクリーン本体３ａの窓面上にフィルム型太陽電池６を貼り付けることで、カーテンの機能に影響なく効果的にフィルム型太陽電池の配置面を確保でき、施工性も優れたものとできる。また、蓄電池の設置によって、必要なときのバックアップ電源としても、災害時の非常用電源としても活用可能とできる。【選択図】図２
2008042142.tif 000002
【特許請求の範囲】
【請求項１】
ロールスクリーンの本体の窓側面上にフィルム型太陽電池を貼り付け、該フィルム型太陽電池を電源として充放電コントローラを介し、蓄電池及び負荷に接続することを特徴とするロールカーテン装置。
【請求項２】
前記蓄電池が、フィルム型蓄電池で、前記ロールスクリーンの本体の室内側面に貼り付けられていることを特徴とする請求項１に記載のロールカーテン装置。
【請求項３】
前記負荷が、前記ロールスクリーンの巻取り叉は移動用のモータであることを特徴とする請求項１叉は２に記載のロールカーテン装置。
【請求項４】
前記負荷が、前記ロールスクリーンを照らす光源であることを特徴とする請求項１乃至３のいずれか１項に記載のロールカーテン装置。
【発明の詳細な説明】
【技術分野】
【０００１】
この発明は、ロールカーテン装置に関する。特に、太陽電池を備えたロールカーテン装置に関する。
【背景技術】
【０００２】
従来から、太陽電池を電源として設置する設置場所は、建造物の一部とすることが多数提案されてきている。建築物の屋根上への設置（例えば、特許文献１参照）、建築物の屋根の棟部に設置（例えば、特許文献２参照）、プレキャストコンクリートパネルに太陽電池モジュールを埋め込んで建物の壁などに用いるもの（例えば、特許文献３参照）、交通建築物を活用した太陽電池の設置（例えば、特許文献４参照）、太陽電池モジュールをベランダやバルコニーの壁や柵の外面に設置（例えば、特許文献５参照）である。
【特許文献１】特開平０６−０８５３０４号公報（要約書、図１）
【特許文献２】特開平０７−１８０３１３号公報（要約書、図１）
【特許文献３】特開平０８−１２０８２７号公報（要約書、図１）
【特許文献４】特開２００２−０１０４９４号公報（要約書、図１）
【特許文献５】特開２００２−１３４７７６号公報（要約書、図１）
【発明の開示】
【発明が解決しようとする課題】
【０００３】
上記以外の設置場所の提案は殆ど見当たらない。建物の外面において太陽の直射日光を受ける大きな面は、窓であるが、太陽電池を設置することで窓の役割ができなくなることから、設置場所として問題外と考えられてきた。
【０００４】
晴れた日の窓に入る直達日射の光熱は大きく、この光熱を遮るためにカーテンを引いている。これは、冬季でも日射のまぶしさをさえぎるため、カーテンを下げていることが多い。カーテンは、遮光や空調負荷の低減に役立てるために、太陽の日射をさえぎるものとして利用されてきた。
【０００５】
そこで、解決しようとする課題は、建物の窓のカーテンを活用して太陽電池の設置面を確保することにある。
【課題を解決するための手段】
【０００６】
上記課題を解決するため、本発明は、ロールスクリーンの本体の窓側面上にフィルム型太陽電池を貼り付け、該フィルム型太陽電池を電源として充放電コントローラを介し、蓄電池及び負荷に接続するロールカーテン装置とする。これによって、ロールスクリーンの本体の窓側面上にフィルム型太陽電池を貼り付けることで、ロールカーテンのカーテン機能に加え効果的に太陽電池の配置面を確保でき、施工性も優れたものとできる。冬でも直達日射のまぶしさを遮るためにロールスクリーンを下ろしていることが多く、太陽光を有効に利用できる。また、蓄電池の設置によって、必要なときのバックアップ電源としても、さらに災害時の非常用電源としても活用可能とできる。
【０００７】
また、前記蓄電池が、フィルム型蓄電池で、前記ロールスクリーンの本体の室内側面に貼り付けられているロールカーテン装置とすれば、発電と蓄電を一体型とした装置が実現でき、設置場所及び施工性に優れた装置とできる。
【０００８】
また、前記負荷が、前記ロールスクリーン巻取り叉は移動用のモータであるロールカーテン装置とすれば、ロールカーテン装置にモータを持たせて、ロールスクリーン巻取り叉は移動を実現できる。
【０００９】
また、前記負荷が、前記ロールスクリーンを照らす光源であるロールカーテン装置とすれば、例えば、夜の窓を彩る季節の表示などを、建物全体の窓で形作り表現することも可能となる。
【発明の効果】
【００１０】
本発明によれば、ロールスクリーンの本体の窓側面上にフィルム型太陽電池を貼り付け、該フィルム型太陽電池を電源として充放電コントローラを介し、蓄電池及び負荷に接続するロールカーテン装置としたため、ロールカーテンのカーテン機能に加え効果的に太陽電池の配置面を確保でき、施工性にも優れたものとできる。冬でも直達日射のまぶしさを遮るためにロールカーテンを下ろしていることが多く、太陽光を有効に利用できる。また、蓄電池の設置によって、必要なときのバックアップ電源としても、さらに災害時の非常用電源としても活用可能とできる。
【発明を実施するための最良の形態】
【００１１】
以下本発明の実施の形態を図を参照しつつ説明する。
【００１２】
図１は、本発明による一実施の形態としてのロールカーテン装置の外観斜視図である。図２は、図１のロールカーテン装置のＡ−Ａ方向断面図である。図１と図２に示すように、ロールカーテン装置１は、ロールスクリーン３と、ロール芯３ｂにロール状に巻かれたロールスクリーン３の本体３ａをロール芯３ｂの両端を保持して収納するカーテンボックス２と、から基本的に構成されている。また、この例では、カーテンボックス２には、ロールスクリーン３のロール芯３ｂを回転するモータ４ａ、例えば、超音波モータなど、も収納する。
【００１３】
カーテンボックス２は、この例では、建物の天井材２０にロールカーテン装置１を固定するための左右のアングル２ａ１，２ａ１を上部に設けたボックス枠２ａと、ボックス枠２ａに取り付けられるフロントカバー２ｂ、リアカバー２ｃからなっている。
【００１４】
ロールスクリーン３は、ロールスクリーン本体３ａ、その上端部を取り付けるロール芯３ｂ、ロールスクリーン本体３ａの下端部に取り付ける下端錘部３ｃ、この下端錘部３ｃにプルコード取付け部３ｆにより取り付けられるプルコード３ｄを有する。プルコード３ｄの下端にはプル３ｅが取付けられている。
【００１５】
上記のような基本構造のロールカーテン装置１に、さらに、この発明に基づく実施形態では、ロールスクリーン３の本体３ａの、窓側面上にフィルム型太陽電池６を貼り付け、フィルム型蓄電池８をロールスクリーン３の本体３ａの室内側面に貼り付けている。こうして発電と蓄電を一体型としたロールカーテン装置を実現し、設置場所及び施工性に優れた装置となっている。
【００１６】
図３には、フィルム型太陽電池６のシートの一例の外観図を示す。プラスチックフィルム６ｂを基板に太陽電池本体６ａを形成したフレキシブルなフィルム型太陽電池６のシートで剛体の太陽電池よりも軽量である。このシートの一部を、ロールスクリーン３の本体３ａに接着剤などで貼着する。
【００１７】
また、この例では、図２に示すように、カーテンボックス２内に、充放電コントローラ７が設置される。さらに、モータ４ａのコントロール回路５も設置されている。
【００１８】
図４には、ロールカーテン装置１におけるフィルム型太陽電池６の接続回路をブロック図で示している。電源としてのフィルム型太陽電池６を充放電コントローラ７を介し、蓄電池、ここでは、上記のようにフィルム型蓄電池８、及び負荷４に接続する。負荷４としては、モータであることもあるが、照明器具であることもある。
【００１９】
この回路によって、遮光のためロールスクリーン３を引き下げてある場合は、フィルム型太陽電池６による発電電力は、充放電コントローラ７に調整されフィルム型蓄電池８に蓄えられる。この蓄えられた電力でモータ４ａを駆動し、ロールスクリーン３の上げ下げができる。例えば、プルコード取付け部３ｆ等に設けたスイッチがプル３ｅを引くごとに、ロールスクリーン３の巻上げ方向、巻下げ方向、停止と切替わる方式とすることができる。
【００２０】
さらに、ロールスクリーン３の左右にゆとりを設けている場合には、モータによりロールスクリーン３の左右へのスライドが可能な構造とできる。例えば、ねじ山を形成した軸を用いてモータの回転を伝えることによって実現できる。
【００２１】
また、負荷が、ロールスクリーン３を照らす光源であるものとすれば、例えば、昼間の蓄電電力によって、夜の窓を彩る季節の表示などを、建物全体の窓で形作り表現し、夜の街に豊かな彩りを添えることも可能とできる。
【００２２】
このように、上記の実施形態によれば、ロールスクリーンの窓面上にフィルム型太陽電池を貼り付けることで、ロールカーテンのカーテン機能に加え効果的に太陽電池の配置面を確保でき、施工性も優れたものとできる。冬でも直達日射のまぶしさを遮るためにロールカーテンを下ろしていることが多く、太陽光を有効に利用できる。また、フィルム型蓄電池の設置によって、必要なときのバックアップ電源としても、さらに災害時の非常用電源としても活用可能とできる。
【産業上の利用可能性】
【００２３】
以上のように、本発明によるロールカーテン装置は、太陽エネルギーを有効に電源として活用できるものとして、さらに災害時の非常用電源としても有用であり、産業上の利用可能性は大きい。
【図面の簡単な説明】
【００２４】
【図１】本発明による一実施の形態としてのロールカーテン装置の外観斜視図である。
【図２】図１のロールカーテン装置のＡ−Ａ方向断面図である。
【図３】本発明で用いるフィルム型太陽電池シートの一例の外観図である。
【図４】図１のロールカーテン装置におけるフィルム型太陽電池の接続回路を示すブロック図である。
【符号の説明】
【００２５】
１  ロールカーテン装置、２  カーテンボックス、２ａ  ボックス枠、２ａ１  アングル、２ｂ  フロントカバー、２ｃ  リアカバー、３  ロールスクリーン、３ａ  本体、３ｂ  ロール芯、３ｃ  下端錘部、３ｄ  プルコード、３ｅ  プル、３ｆ  プルコード取付け部、４  負荷、４ａ  モータ、５  コントロール回路、６  フィルム型太陽電池、６ａ  太陽電池本体、６ｂ  プラスチックフィルム、７  充放電コントローラ、８  フィルム型蓄電池、２０  天井材。
【図１】
2008042142.tif 000003
【図２】
2008042142.tif 000004
【図３】
2008042142.tif 000005
【図４】
2008042142.tif 000006